(57)【要約】【課題】乗り物にて移動する場合等において、落ち着いて食事をすることの可能な弁当容器を提供すること。【解決手段】御飯を収納するための円筒状を有する第１の容器と，前記第１の容器の上部に積層して設けた副食物を収納するための円筒状を有する第２の容器と，前記第２の容器の上部に積層して設けた副食物を収納するための円筒状を有する第３の容器と，前記第３の容器の開口上面を閉塞するための蓋体とからなる積層された多段型の弁当容器において，前記第１，第２，第３の各容器には円形開口部の中心から６０度の角度を有して，前記円形開口部の周縁部である胴部表面に当接する２箇所に，相互に異なる形状の第１，第２の２つの係止手段を設けると共に，前記第１の容器の第１の係止手段と前記第２の容器の第２の係止手段とを係止し，前記第１の容器の第２の係止手段と前記第３の容器の第１の係止手段とを係止し，前記第２の容器の第1の係止手段と前記第3の容器の第2の係止手段とを係止して前記各容器一体とした。【選択図】図１
0003102884.tif 000002
【実用新案登録請求の範囲】
【請求項１】
御飯を収納するための円筒状を有する第１の容器と，前記第１の容器の上部に積層して設けた副食物を収納するための円筒状を有する第２の容器と，前記第２の容器の上部に積層して設けた副食物を収納するための円筒状を有する第３の容器と，前記第３の容器の開口上面を閉塞するための蓋体とからなる積層された多段型の弁当容器において，前記第１，第２，第３の各容器には円形開口部の中心から６０度の角度を有して，前記円形開口部の周縁部である胴部表面に当接する２箇所に，相互に異なる形状の第１，第２の２つの係止手段を設けると共に，前記第１の容器の第１の係止手段と前記第２の容器の第２の係止手段とを係止し，前記第１の容器の第２の係止手段と前記第３の容器の第１の係止手段とを係止し，前記第２の容器の第1の係止手段と前記第3の容器の第2の係止手段とを係止して前記各容器を一体としたことを特徴とする弁当容器。
【請求項２】
請求項1記載の弁当容器において、第1の係止手段は逆Ｌ字状として下方に向って開放間隙を設ける形状とすると共に、第2の係止手段はＬ字状として上方に向って開放間隙を設ける形状とすることを特徴とする弁当容器。
【考案の詳細な説明】
【技術分野】
【０００１】
本考案は、行楽等に際して持参する弁当容器に関する。
【背景技術】
【０００２】
家族旅行等では弁当を持参することが多く、乗物内で食事をする場合がある。これらに持参する弁当容器としては、筒状を有する多段積層型のものが便利である。
【０００３】
例えば3段形式のものについて説明すると、一番下の容器は大きめのものであり、この内部には御飯をいれ、その上部に積層する容器及び、更にその上部に積層する容器には夫々の副食物を入れ、最上部の容器の開放部には蓋体にて密閉するようになっている。そして、この種の従来技術は改めて文献名を挙げるまでもなく周知のものである。
【考案の開示】
【考案が解決しようとする課題】
【０００４】
上記従来技術によれば、食事をするときには多段に積層された各容器を夫々分離した状態にて台の上面に置いておき、随時、箸にて御飯あるいは好みの副食物をその都度摘むこととなる。しかし、この場合例えば電車等での食事では個々の容器が電車の振動に応じて台上を自由に動きまわって、落ち着いて食事をすることができない。
【０００５】
本考案は上記課題を解決するためになされたものであり、乗物にて移動する場合等において、落ち着いて食事をすることの可能な弁当容器を提供することを目的としている。
【課題を解決するための手段】
【０００６】
上記目的を解決するため、本考案の請求項1では、御飯を収納するための円筒状を有する第１の容器と，前記第１の容器の上部に積層して設けた副食物を収納するための円筒状を有する第２の容器と，前記第２の容器の上部に積層して設けた副食物を収納するための円筒状を有する第３の容器と，前記第３の容器の開口上面を閉塞するための蓋体とからなる積層された多段型の弁当容器において，前記第１，第２，第３の各容器には円形開口部の中心から６０度の角度を有して，前記円形開口部の周縁部である胴部表面に当接する２箇所に，相互に異なる形状の第１，第２の２つの係止手段を設けると共に，前記第１の容器の第１の係止手段と前記第２の容器の第２の係止手段とを係止し，前記第１の容器の第２の係止手段と前記第３の容器の第１の係止手段とを係止し，前記第２の容器の第1の係止手段と前記第3の容器の第2の係止手段とを係止して前記各容器を一体としたことを特徴とする。
【０００７】
本考案の請求項2では、請求項1において、第1の係止手段は逆Ｌ字状として下方に向って開放間隙を設ける形状とすると共に、第2の係止手段はＬ字状として上方に向って開放間隙を設ける形状とするようにした。
【考案の効果】
【０００８】
以上説明したように、本考案によれば積層された状態から夫々の容器を取り出すと共に、御飯の入った第1の容器の周縁に設けた係止手段を介して第2、第3の各容器を平面的に係止すると共に、併せて第2、第3の容器間も係止して、全体を一体構成とするようにしたものであるため、振動に際して強固な固定が可能となって、安心した食事が可能となる。
【考案を実施するための最良の形態】
【０００９】
図1は本考案の実施の形態を説明する図であり、特に図1は理解を容易にするため仕様状態の概要を示す全体斜視図として示している。又図2は分解前の全体斜視図であり、併せて説明する。図1において、1は最下段に設けた第1の容器であり、この内部には御飯が収納される。
【００１０】
2は第2の容器で図2に示されるように前記第1の容器1の上部に設けられ、この内部には副食物が入れられる。3は第3の容器で図2に示されるように前記第2の容器2の上部に設けられ、この内部には副食物が入れられる。図1には示されないが、第3の容器3の上部開口には蓋体4が設けられ、この蓋体4の閉塞により、弁当容器全体が密閉される。
【００１１】
図2の全体斜視図に示されるように、弁当容器の全体図は筒体であり、第1、第2、第3の各容器及び蓋体4は底面周縁に設けた却部5が容器内周面に密着してはまりこむ構成になっている。なお図3は図2の×-×’断面図であり、この構成が示されている。
【００１２】
先ず、図2の詳細を説明すると、胴部表面には相互に異なる形状の2つの係止手段を備えている。即ち、第1の容器1には逆Ｌ字状であって下方に向って開放間隙を有する第1の係止手段11と、Ｌ字状であって上方に向って開放間隙を有する第2の係止手段12とを備え、これらは容器の円形開口部の中心から60度の角度を有して胴部表面に当接する2箇所に設けている。
【００１３】
第2の容器2には前記同様に係止手段21、22が、同じく第3の容器3にも前記同様に係止手段31.32が設けられている。又、容器の円形開口部からの角度も60度である。
【００１４】
図４は全体的な配置を示す構成図であり、図４（ａ）は平面構成図、図４（ｂ）は図４（ａ）を矢印方向から見た分解側面図、図４（ｃ）は図４（ｂ）が組み立てられた状態として見た側面図である。
【００１５】
先ず、図４（ａ）を説明すると、この図は第１、第２、第３の各容器１，２，３の使用時の平面的な配置を示し、第１の容器１との相互関係は前記したとおり、６０度ずつの角度を有し、各容器は夫々係止手段１１（２２）、２１（３２）、３１（１２）を介して係止されている。
【００１６】
図４（ｂ）は図４（ａ）を矢印方向から見た分解側面図である。図に示されるように第２の容器２の下方に向かって開放間隙を有する第１の係止手段２１が、第３の容器３の上方に向かって開方間隙を有する第２の係止手段３２と係合し、更に上記各容器が第１の容器１の第１の係止手段１１及び第２の係止手段１２と夫々が係合する様子が示されている。図４（ｃ）が全部が係合した状態の側面図となる。
【産業上の利用可能性】
【００１７】
以上により本考案は、夫々分離状態となる各容器を御飯の入った第１の容器に係止させて固定することが可能となるため、電車等の乗り物内にて安心して食事をすることができ、旅行時等の携帯用弁当容器として適している
【図面の簡単な説明】
【００１８】
【図１】本考案による弁当容器の使用状態を示す全体斜視図
【図２】上記弁当容器の全体斜視図
【図３】図２のX−X’断面図
【図４】全体的な配置を示す構成図
【符号の説明】
【００１９】
１    御飯を収納する第１の容器
２    副食物を収納する第２の容器
３    その他の副食物を収納する第３の容器
４    全体的な配置関係を示す構成図
５    脚部
【図１】
0003102884.tif 000003
【図２】
0003102884.tif 000004
【図３】
0003102884.tif 000005
【図４】
0003102884.tif 000006